(57)【要約】【課題】  リーリングによる推進力と水の抵抗とによって、恰も小魚が上下左右に自然に遊泳しているような運動を行うことができるリップ付きルアーを提供する。【解決手段】  小魚形状に形成しているルアー本体１の口先部に、左右方向に長いスリット４を設けてこのスリット４内に固着している縦軸体５に、リップ３の後端から突設しているジョイント６のリング部6aを左右方向に回動自在に枢着してあり、リーリング時にルアー本体１の両側面に作用する水圧の変動によってルアー本体１を上記縦軸体５を支点としてリップ３に対して左右方向に揺動させると共に、この左右方向の揺動運動を阻害することなくリップ３によってルアー本体１を上下方向に揺動させるように構成している。【選択図】    図１
2010193726.tif 000002
【特許請求の範囲】
【請求項１】
小魚形状に形成しているルアー本体と、このルアー本体の頭部における口先部から前方に向かって斜め下方に突設し、且つ、上面中央部に釣り糸を連結させるアイレットを取り付けているリップとからなるルアーにおいて、リップの基端部をルアー本体の上記口先部に左右方向に回動自在に連結していることを特徴とするリップ付きルアー。
【請求項２】
ルアー本体の頭部における口先部に左右方向に長いスリットを形成している一方、リップの基端面の中央から後方に向かって後端に上下方向に開口しているリング部を設けてなるジョイントを突設してあり、このジョイントのリング部を上記スリットに挿入して口先部内に固着している縦軸体に左右方向に回動自在に枢着させていることを特徴とする請求項１に記載のリップ付きルアー。
【請求項３】
ルアー本体は合成樹脂製であって、口先部を除く頭部から尾部に亘る内部を中空室に形成してあり、この中空室の幅方向の中央部に頭部から尾部間に亘って球状の錘を移動可能に内装した水平ガイド通路を形成していると共にこの水平ガイド通路の前端から下方に向って釣り針上記錘を係脱させる嵌合凹部を設けてあり、さらに、ルアー本体の腹部と尾部とに釣り針連結用アイを取り付けていることを特徴とする請求項１に記載のリップ付きルアー。
【発明の詳細な説明】
【技術分野】
【０００１】
本発明は、水中において小魚が遊泳しているような動きを行うリップ付きルアーに関するものである。
【背景技術】
【０００２】
従来から、魚釣り時に使用するリップ付きルアーとしては、例えば、特許文献１に記載されているように、外形を小魚に似せた合成樹脂からなるルアー本体の頭部における口先部に、平板形状のリップを前方に向かって斜め下方に突設してなる構造のものが広く知られており、また、特許文献２には、ルアー本体の頭部を中空に形成し、この中空頭部内にリップの基端部を挿入して中空頭部内の中央部に固着している水平軸により上下方向に回動自在に配設されてなるリップ付きルアーも開発されている。そして、使用時には、リップの上面中央部に設けているアイレットに釣り糸（道糸）を連結してキャスティングを行い、リーリングやロッド操作によって水中でのリップの水流抵抗による潜行作用と共にルアーを泳動させながら魚釣りを行っている。
【先行技術文献】
【特許文献】
【０００３】
【特許文献１】特開２００４−５７２０３号公報
【特許文献２】特開２００３−３３３９６１号公報
【発明の概要】
【発明が解決しようとする課題】
【０００４】
しかしながら、前者のリップ付きルアーによれば、リップによって水中で安定した姿勢を保ちながら泳動させることができても、リップがルアー本体の頭部における口先部にその基端を一体に固着させているので、リーリングやロッド操作等によりルアーを操作すると、ルアー本体がリップの上面中央部に連結している釣り糸の先端を支点として上下方向に繰り返し揺動しながら推進することになり、リップと一体にルアー本体が上下方向に揺動するために、ルアー本体が単調にして不自然な動きとなって釣果があまり期待できなくなる虞れがある。
【０００５】
これに対して後者のリップ付きルアーによれば、ルアー本体の頭部に対してリップを上下方向に回動自在に枢着しているので、ルアー本体自体がリップの後端部を支点として上下方向に揺動することができるが、リップも釣り糸を連結させているアイレットを支点として上下方向に揺動するので、両者の揺動運動が互いに相殺し合ったり、或いは、互いに重複し合ったりしてその上下揺動が不規則になるが、上下に大きな動きが生じる場合があって魚に警戒心を引き起こさせ、誘引、集魚効果が損なわれる虞れがあった。
【０００６】
また、水中でルアーが推進する時に、その両側面に作用する水流の圧力の変化の相違によってルアーに小魚本来の自然な動きである左右方向にくねくねと揺動する動作を行わせることができるが、上記いずれのリップ付きルアーにおいても、ルアーが左右方向に揺動しようとする動きが、上下方向の揺動運動によって打ち消されて上記同様に魚の誘引作用が低下するといった問題点があった。
【０００７】
このため、近年、ルアーを、リップを突設した頭部側とボディ側とを分割して、頭部の後端面に対してボディの前端を左右方向に回動自在に連結してなるリップ付きルアーが開発されているが、頭部とボディとの連結部分における両側面は、頭部からボディに向かって分割部分を介して滑らかに連続した状態となっているため、水流がその両側面に伝って流動した際における頭部の一側面とボディの一側面とに作用する水圧が略等しくなり、従って、頭部に対してボディを左右方向に回動させようとする作用力が比較的小さくて、頭部とボディとが、頭部と一体のリップの上面中央部に取り付けている上記アイレットを支点として一体に左右方向に揺動し、小魚とは異なる不自然な動きとなるばかりでなく、リップの潜行作用とこのリップを介してルアーの動きを操作するリーリングやロッド操作等によってルアー本体の左右方向の揺動運動が抑制されて魚を誘引するような自然な遊泳動作を行わせることができない。
【０００８】
本発明はこのような問題点に鑑みてなされたもので、その目的とするところは、リーリングやロッド操作等による推進力と水の抵抗とによって自在に変化して、恰も生餌となる小魚が上下左右に自然に遊泳しているようなルアーアクションを可能にしたリップ付きルアーを提供するにある。
【課題を解決するための手段】
【０００９】
上記目的を達成するために本発明のリップ付きルアーは、請求項１に記載したように、小魚形状に形成しているルアー本体と、このルアー本体の頭部における口先部から前方に向かって斜め下方に突設し、且つ、上面中央部に釣り糸を連結させるアイレットを取り付けているリップとからなるルアーにおいて、リップの基端部をルアー本体の上記口先部に左右方向に回動自在に連結した構造としている。
【００１０】
このように構成したリップ付きルアーにおいて、請求項２に係る発明は、ルアー本体の頭部における口先部に左右方向に長いスリットを形成している一方、リップの基端面の中央から後方に向かって後端に上下方向に開口しているリング部を設けてなるジョイントを突設してあり、このジョイントのリング部を上記スリットに挿入して口先部内に固着している縦軸体に左右方向に回動自在に枢着させていることを特徴とする。
【００１１】
また、請求項３に係る発明は、上記請求項１に記載のリップ付きルアーにおいて、ルアー本体は合成樹脂製であって、口先部を除く頭部から尾部に亘る内部を中空室に形成してあり、この中空室の幅方向の中央部に頭部から尾部間に亘って球状の錘を移動可能に内装した水平ガイド通路を形成していると共にこの水平ガイド通路の前端から下方に向って釣り針上記錘を係脱させる嵌合凹部を設けてあり、さらに、ルアー本体の腹部と尾部とに釣り針連結用アイを取り付けていることを特徴とする。
【発明の効果】
【００１２】
請求項１に係る発明によれば、小魚形状に形成しているルアー本体の頭部における口先部に、該口先部から前方に向かって斜め下方に突設しているリップの基端部を左右方向に回動自在に連結しているので、リーリングやロッド操作等による水中での推進時において、ルアー本体の頭部側から尾部側に向かって流動する水流によってルアー本体に作用する水圧が、ルアー本体の一側面と他側面とで微妙に連続的に変動するに伴って、ルアー本体全体をその変動に応じてリップの後端に対して左右方向にくねくねと恰も小魚が遊泳しているような自然にして不規則な動きを行なわせることができるものであり、さらに、この左右方向の揺動運動を阻害することなく、該左右方向の揺動運動とともに、リップの上面中央部に釣り糸を連結しているアイレットを支点として口先部から前方に向かって斜め下方に突設しているこのリップに作用する水圧と推進作用とにより上下方向の揺動運動を行わせることができると共に、リップの後端とルアー本体の前端とを互いに水平方向に自在に屈折させることができ、従って、小魚と酷似した泳動を行わせることができて集魚効果が向上し、釣果を上げることができる。
【００１３】
さらに、請求項２に係る発明によれば、ルアー本体の頭部における口先部に左右方向に長いスリットを形成している一方、リップの基端面の中央から後方に向かって後端に上下方向に開口しているリング部を設けてなるジョイントを突設して、このジョイントのリング部を上記スリットに挿入し、口先部内に固着している縦軸体にそのリング部を左右方向に回動自在に枢着させているので、構造が簡単で多量生産に適し、安価に提供することができるのは勿論、ルアー本体の口先部に設けた左右方向に長いスリットによってルアー本体が上下方向への妄動を抑制されながら、縦軸体を支点としてルアー本体を確実且つ円滑に左右方向に揺動させることができると共にその左右方向の揺動も、スリットの長さによって必要以上に左右方向に不自然に動くのを阻止することができる。
【００１４】
また、請求項３に係る発明によれば、ルアー本体は合成樹脂製であるから、成形によって容易に製造することができるのは勿論、その口先部を除く頭部から尾部に亘る内部を中空室に形成して、この中空室の幅方向の中央部に頭部から尾部間に亘って球状の錘を移動可能に内装した水平ガイド通路を形成していると共にこの水平ガイド通路の前端から下方に向かって上記錘を係脱させる嵌合凹部を設けているので、キャスティング時には、球状の錘りが慣性力により水平ガイド通路を後端まで移動し、そのため、重心が尾部側に移って飛距離を増大させることができると共に、着水した際には、錘が水平ガイド通路を頭部側に移動して該水平ガイド通路の前端から下方に凹設している嵌合凹部に嵌まり込み、頭部と腹部との連設部の下部に重心を移して背部側を常に上向きにした状態で魚と同じ姿勢に保持することができ、水流から受ける抵抗の変化に応じて、上記リップやこのリップの後端に水平方向に回動自在に連結している該ルアー本体の揺動動作を円滑且つ正確に行わせることができる。
【図面の簡単な説明】
【００１５】
【図１】本発明リップ付きルアーの縦断側面図。
【図２】そのＡ−Ａ線における横断面図。
【図３】Ｂ−Ｂ線における縦断正面図。
【図４】斜視図。
【図５】左右方向に揺動する状態の平面図。
【図６】側面図。
【発明を実施するための形態】
【００１６】
次に、本発明の具体的な実施例を図面について説明すると、１は小魚の外形に似た形状に形成している硬質合成樹脂製のルアー本体で、頭部1aにおける口先部1bを除く該頭部1aから尾部1cに亘る胴部1dの内部を中空室２に形成していると共に、上記口先部1bから前方に向かって斜め下方に傾斜させた状態で平面楕円形状ないしは洋梨形状に形成している適宜厚みを有する硬質合成樹脂製の板材からなるリップ３を突設している。
【００１７】
このリップ３の基端はルアー本体１の上記口先部1bに一体に設けることなく、該口先部1bに対して左右方向に回動自在に連結している。この具体的な連結構造としては、図１、図２に示すように、ルアー本体１の口先部1bの幅方向の中央部に一定の上下開口幅を有する左右方向に長いスリット４を口先部1bの前端から適宜深さにまで設けていると共に、このスリット４の奥部における幅方向の中央部に該スリット４を直角に貫通するように、断面円形の縦軸体５を設けてこの縦軸体５の上下部を口先部1bの肉部に一体に固着している一方、上記リップ３の後端面の中央部に、短い金属線からなる一定長さのジョイント６の前端部を一体に固着してこのジョイント６をリップ３の後端（基端）から該リップ３の長さ方向に突設していると共に、このジョイント６の後端に該金属線を湾曲させることによって上下方向に開口しているリング部6aを形成してあり、このリング部6aを上記スリット４に挿入して上記口先部内に固着している縦軸体５に被嵌することによりリップ３を左右方向に回動自在に枢着している。
【００１８】
リップ３は周知のように、ルアー本体の口先部1bから前方に向かう水平面に対してその上面を後端側から前端（先端）に向かって一定角度（45度以下の角度）でもって斜め下方に傾斜させてあり、従って、上記スリット４もその奥部から開口前端に向かって同一角度で傾斜していると共に、縦軸体５もこのスリット４に直交するように下端から上端に向かって上記角度でもって斜め前方に傾斜した状態で固着していて、リップ３をこの縦軸体５を中心として上記スリット４の両端間で左右方向に回動可能に構成している。なお、上記ジョイント６を挿入させているスリット４の上下幅は、ジョイント６の厚みよりも僅かに大きくしてそのスリット４の上下対向面でジョイント６が縦軸体５を支点として上下方向に妄動するのを規制し、リップ３を縦軸体５を支点として左右方向に円滑に回動させるようにしている。
【００１９】
リップ３の上面中央部には、釣り糸（道糸）Ｔを連結させるアイレット７を取り付けていると共に、上記ルアー本体１の尾部1cと腹部1eとに釣り針連結用アイ８、９を取り付けている。また、ルアー本体１の上記中空室２における幅方向の中央部には、頭部1aから尾部1cに至り、球状の錘10を移動可能に内装した一定幅と長さを有する水平ガイド通路11を形成していると共に、この水平ガイド通路11の前端から頭部1aと腹部1eとの連設部における下面近傍部に向かって下方に屈折してなる上記錘10の嵌合凹部12を設けている。なお、この嵌合凹部12の深さは錘10の径と同等ないしは僅かに深くして錘10が容易に係脱できるように形成している。
【００２０】
このように構成したリップ付きルアーは、使用時に図４〜図６に示すように、そのリップ３の上面に取り付けているアイレット７に釣り糸Ｔを繋着等によって連結すると共に尾部1cと腹部1eとに取り付けている釣り針連結用アイ８、９に釣り針t1、t2を吊設する。この状態にしてキャスティングすると、ルアー本体１の中空室２内に設けている錘10が慣性力によって水平ガイド通路11に沿って尾部1c側に移動し、従って、ルアー本体１が尾部1c側を先頭にして水中に投入される。
【００２１】
ルアー本体１が着水してリーリングを開始すると、リップ３の潜行動作によってルアー本体１が頭部側を斜め下方に向け、水平ガイド通路11が後端から前端に向かって斜め下方に傾斜して錘10が該通路11内を前方に向かって転動し、前端の嵌合凹部12内に嵌まり込む。そうすると、ルアー本体１の重心が頭部1aと腹部1eとの連設部の下部に移動すると共に中空室２内に封入している空気による浮力によってルアー本体１が腹部1eを下向きに、背部側を上向きにした遊泳姿勢となり、この状態でリーリングによりルアー本体１を水中で推進させると、ルアー本体１の両側面に頭部1a側から尾部1c側を伝うように水流がルアー本体１の推進に従って相対的に流動してルアー本体１の両側面に作用する水圧が連続的に変動し、この変動する水圧によってルアー本体１がリップ３の後端から突設しているジョイント６が枢着した縦軸体５を支点として、左右方向にくねくねと揺動すると共に、リップ３も縦軸体５を支点として左右方向に相対的に揺動して、ルアー本体１がリップ３によってその左右方向の動きを抑制されることなく、リップ３に対してルアー本体１が恰も小魚が遊泳しているような自然にして不規則な動きを行う。
【００２２】
さらに、リップ３は、ルアー本体１の口先部1bから前方に向かって斜め下方に傾斜しているので、ルアー本体１を推進させると、その上面に作用する水圧によってルアー本体１を潜行させる働きを行うと共に、リーリング時にその上面中央部のアイレット７に連結している釣り糸Ｔを介して上向きに引き起こされる作用を受け、従って、ルアー本体１が上下方向に揺動運動を行うと共に、この上下揺動運動時においてもルアー本体１がアイレット７に対して単独的に上記縦軸体５を支点として左右方向に揺動運動を行うことができ、そのため、小魚と酷似した泳動を行わせることができて集魚効果が向上し、釣果を上げることができるものである。
【符号の説明】
【００２３】
１  ルアー本体
２  中空室
３  リップ
４  スリット
５  縦軸体
６  ジョイント
７  アイレット
８、９  釣り糸連結用アイ
10  錘
11  水平ガイド通路
12  嵌合凹部
Ｔ  釣り糸
t1、t2  釣り針
【図１】
2010193726.tif 000003
【図２】
2010193726.tif 000004
【図３】
2010193726.tif 000005
【図４】
2010193726.tif 000006
【図５】
2010193726.tif 000007
【図６】
2010193726.tif 000008